(57)【要約】【課題】  撮影中に表示画面の状態を変化させても違和感のない画像を表示する。【解決手段】  携帯電話１は、カメラ１２が出力する動画データを記録する録画部５１と、ＬＣＤ１６を制御する表示制御部２６と、ＬＣＤ１６の方向を検出する第２スイッチ２７Ｂと、録画部５１による記録が開始されたときに、ツイストスタイルであればカメラ１２が出力する動画データを左右反転した鏡像データを表示制御部２６に与え、オープンスタイルまたはフロントスタイルであればカメラ１２が出力する動画データを表示制御部２６に与える鏡像データ生成部５２とを備え、表示制御部２６は、横方向姿勢で録画部５１による記録がされている最中に、オープンスタイルからツイストスタイルまたはツイストスタイルからオープンスタイルに変化した場合、それまで表示させていた画像と上下左右逆の画像をＬＣＤ１６に表示させる。【選択図】        図５
2007150898.tif 000002
【特許請求の範囲】
【請求項１】
第１筐体と、
前記第１筐体と開閉自在に連結され、開いた状態で前記第１筐体と回転可能に連結される前記第２筐体と、
前記第１筐体に設けられ、撮像して動画データを出力する撮像手段と、
前記第２筐体に設けられ、画像を表示する表示手段と、
前記撮像手段が出力する動画データを記録する録画手段と、
前記表示手段を制御する表示制御手段と、
前記表示手段の表示面の方向を検出する方向検出手段と、
撮像姿勢を決定する姿勢決定手段と、
前記表示手段の表示面が前記撮像手段の撮像方向側を向くときに前記録画手段による記録が開始されたときは、前記撮像手段が出力する動画データを左右反転した鏡像データを前記表示制御手段に与え、前記表示手段の表示面が前記撮像方向と反対側を向くときに前記録画手段による記録が開始されたときは、前記撮像手段が出力する動画データを前記表示制御手段に与える制御手段とを備え、
前記表示制御手段は、前記姿勢決定手段により前記撮像手段と前記表示手段とが水平方向に並ぶ横方向姿勢が決定されており、前記録画手段による記録がされている最中に、前記第２筐体が前記第１筐体と開いた状態で前記第１筐体に対して回転して、前記表示手段の表示面が向く方向が前記撮像方向側から反対側に変化した場合、または、前記表示手段の表示面が向く方向が前記撮像方向と反対側から前記撮像方向側に変化した場合、それまで表示させていた画像と上下左右が逆の画像を前記表示手段に表示させる、動画像記録装置。
【請求項２】
前記第２筐体は、前記第１筐体に対して第１の軸を中心に回転して開閉自在となるとともに、前記第１の軸に交わる第２の軸を中心に回転可能に連結される、請求項１に記載の動画像記録装置。
【請求項３】
前記第１の軸は、前記表示手段の表示面に平行であり、
前記表示制御手段は、前記姿勢検出手段により前記横方向姿勢が検出されており、前記録画手段による記録がされている最中に、前記第２筐体が前記第１の軸を中心に回転して、前記表示手段の表示面の方向が前記撮像方向側から反対側に変更された場合、それまで表示させていた画像と上下左右が同じ画像を前記表示手段に表示させる、請求項２に記載の動画像記録装置。
【発明の詳細な説明】
【技術分野】
【０００１】
この発明は、携帯情報端末に関し、特に動画像を記録する機能を備えた携帯情報端末に関する。
【背景技術】
【０００２】
近年、動画像を録画する機能を有する携帯電話が市場に流通している。カメラで撮影された画像を表示する液晶表示装置（ＬＣＤ）の表示面は撮影者側に向けられるので、他人を被写体とする場合には、ＬＣＤの表示面はカメラの撮像方向と反対側に向けられ、撮影者自身を被写体とする場合には、ＬＣＤの表示面はカメラの撮像方向側に向けられる。ＬＣＤの表示面がカメラの撮像方向と反対側に向けられるときと、ＬＣＤの表示面がカメラの撮像方向側に向けられるときとでＬＣＤの向きが反対となり、ＬＣＤをカメラに対して水平方向の軸を中心に１８０度回転させてＬＣＤの表示面の向く方向を変更する場合は、回転前後でＬＣＤの上下方向がカメラの上下方向と逆になる。特開２００３−３３０５９０号公報には、ＬＣＤの上下方向がカメラの上下方向と逆になる場合、ＬＣＤに表示する画像を上下左右に反転させて表示させる技術が記載されている。
【０００３】
しかしながら、撮影者を被写体としてＬＣＤの表示面がカメラの撮像方向側に向けられた状態では、撮影者に撮影方向を分かりやすくするために、カメラが出力する画像を左右反転させた鏡像がＬＣＤに表示される。ＬＣＤの表示面に鏡像を表示している状態で記録が開始されると、演算回路の処理の負荷に限界があるために、ＬＣＤに表示する画像を鏡像からカメラが出力する画像に戻すことができない場合がある。このため、ＬＣＤの表示面がカメラの撮像方向側に向けられた状態で記録が開始された後に、ＬＣＤを水平方向の軸を中心に回転させてＬＣＤの表示面がカメラの撮像方向と反対側に向けられると、ＬＣＤに上下方向が逆の鏡像が表示されてしまい、撮影者にとって違和感のある画像がＬＣＤに表示されるといった問題があった。
【特許文献１】特開２００３−３３０５９０号公報
【発明の開示】
【発明が解決しようとする課題】
【０００４】
この発明は上述した問題点を解決するためになされたもので、この発明の目的の一つは、撮影中に表示画面の状態を変化させても違和感のない画像を表示することが可能な携帯情報端末を提供することである。
【課題を解決するための手段】
【０００５】
上述した目的を達成するためにこの発明のある局面によれば、携帯情報端末は、第１筐体と、第１筐体と開閉自在に連結され、開いた状態で第１筐体と回転可能に連結される第２筐体と、第１筐体に設けられ、撮像して動画データを出力する撮像手段と、第２筐体に設けられ、画像を表示する表示手段と、撮像手段が出力する動画データを記録する録画手段と、表示手段を制御する表示制御手段と、表示手段の表示面の方向を検出する方向検出手段と、撮像姿勢を決定する姿勢決定手段と、表示手段の表示面が撮像手段の撮像方向側を向くときに録画手段による記録が開始されたときは、撮像手段が出力する動画データを左右反転した鏡像データを表示制御手段に与え、表示手段の表示面が撮像方向と反対側を向くときに録画手段による記録が開始されたときは、撮像手段が出力する動画データを表示制御手段に与える制御手段とを備え、表示制御手段は、姿勢決定手段により撮像手段と表示手段とが水平方向に並ぶ横方向姿勢が決定されており、録画手段による記録がされている最中に、第２筐体が第１筐体と開いた状態で第１筐体に対して回転して、表示手段の表示面が向く方向が撮像方向側から反対側に変化した場合、または、表示手段の表示面が向く方向が撮像方向と反対側から撮像方向側に変化した場合、それまで表示させていた画像と上下左右が逆の画像を表示手段に表示させる。
【０００６】
この局面に従えば、表示手段の表示面が撮像手段の撮像方向を向くときに録画手段による記録が開始されたときは、鏡像データが表示制御手段に与えられる。横方向姿勢が決定されており、記録がされている最中に、第２筐体が第１筐体と開いた状態で第１筐体に対して回転して、表示手段の表示面が向く方向が撮像方向側から反対側に変化した場合、または、表示手段の表示面が向く方向が撮像方向と反対側から撮像方向側に変化した場合、表示面が水平方向の軸を中心に１８０度回転するので、表示手段の表示面の上下が逆になる。表示手段の表示面の上下が逆になると、それまで表示させていた画像の上下が逆になるので、鏡像データの上下左右を逆にした画像が表示され、鏡像が上下方向を被写体に合わせて表示される。その結果、撮影中に表示画面の状態を変化させても違和感のない画像を表示することが可能な携帯情報端末を提供することができる。
【０００７】
好ましくは、第２筐体は、第１筐体に対して第１の軸を中心に回転して開閉自在となるとともに、第１の軸に交わる第２の軸を中心に回転可能に連結される。
【０００８】
好ましくは、第１の軸は、表示手段の表示面に平行であり、表示制御手段は、姿勢決定手段により横方向姿勢が検出されており、録画手段による記録がされている最中に、第２筐体が第１の軸を中心に回転して、表示手段の表示面の方向が前記撮像方向側から反対側に変更された場合、それまで表示させていた画像と上下左右が同じ画像を表示手段に表示させる。
【０００９】
横方向姿勢で第２筐体が第１の軸を中心に回転する場合には、表示面が水平方向の軸を中心に回転しないので、表示手段の上下方向に変化はない。このため、それまで表示している鏡像データの画像または動画データを上下左右逆にした画像をそのまま表示することにより、上下方向を被写体に合わせて表示することができる。その結果、撮影中に表示画面の状態を変化させても違和感のない画像を表示することができる。
【発明を実施するための最良の形態】
【００１０】
以下、本発明の実施の形態について図面を参照して説明する。以下の説明では同一の部品には同一の符号を付してある。それらの名称および機能も同じである。したがってそれらについての詳細な説明は繰返さない。
【００１１】
図１は、本発明の実施の形態の１つにおける携帯電話の外観を示す斜視図である。図１（Ａ）を参照して、携帯電話１は、操作側部３と、表示側部２とを含む。操作側部３の内面には、テンキー、通話キーおよびスタートキー１５等の操作キー１４と、マイク１３とが配置され、内面に反対の外面には後述するカメラ１２が配置される。また、操作側部３の側面には、スタートキー１５と並列接続されたスタートキー１５Ａが配置される。表示側部２の内面には、液晶表示装置（ＬＣＤ）１６と、スピーカ１１とが配置される。なお、ここでは携帯電話１がＬＣＤ１６を備える例を示すが、ＬＣＤ１６に代えて、有機ＥＬ（ＥｌｅｃｔｒｏＬｕｍｉｎｅｓｃｅｎｃｅ）ディスプレイを用いてもよい。
【００１２】
操作側部３と表示側部２とは、ヒンジ機構で第１回転軸１８を中心に回転可能に連結され、操作側部３と表示側部２とは開閉自在である。第１回転軸１８は、ＬＣＤ１６の表示面に平行である。また、表示側部２は、第１回転軸１８に直交する第２回転軸１９を中心に操作側部３に対して回転可能に連結される。図１（Ｂ）は、表示側部２が第２回転軸１９を中心に操作側部３に対して回転途中の状態における斜視図である。携帯電話１は、フリップクローズスタイル（以下「クローズスタイル」という）、フリップオープンスタイル（以下「オープンスタイル」という）、ツイストスタイル、フロントスタイルの４つに状態を遷移することが可能である。クローズスタイルは、操作側部３の内面と表示側部２の内面とが向かい合う閉状態である。クローズスタイルは、ＬＣＤ１６と操作キー１４とが向かい合うため、操作キー１４とＬＣＤ１６とが外部と接触することがなく、外部の物に触れて使用者の意図しない操作が入力されたり破損したりするのが防止されるので、運搬に適したスタイルである。図２（Ａ）は、オープンスタイルにある携帯電話をＬＣＤ１６側から見た図である。図２（Ｂ）は、オープンスタイルにある携帯電話をカメラ側から見た図である。オープンスタイルは、操作側部３の内面と表示側部２の内面とが同じ方向を向き、ユーザが目視可能な開状態である。マイク１３とスピーカ１１とが同じ方向となるため、通話するのに適したスタイルである。また、ＬＣＤ１６と操作キー１４とが同じ方向となるため、ＬＣＤ１６を見ながら操作キー１４を操作したりするのに適したスタイルである。また、カメラ１２の撮像方向とＬＣＤ１６の表示面とが反対方向となるため、他人を被写体として撮影するのに適したスタイルである。
【００１３】
図３（Ａ）は、ツイストスタイルにある携帯電話をＬＣＤ側から見た図である。図３（Ｂ）は、ツイストスタイルにある携帯電話をＬＣＤの反対側から見た図である。ツイストスタイルは、操作側部３の内面と表示側部２の外面とが同じ方向を向く開状態である。カメラ１２とＬＣＤ１６とが同じ方向となるため、使用者を被写体として撮影するのに適したスタイルである。図４（Ａ）は、フロントスタイルにある携帯電話をＬＣＤ側から見た図である。図４（Ｂ）は、フロントスタイルにある携帯電話をカメラ側から見た図である。フロントスタイルは、操作側部３の内面と表示側部２の外面とが向かい合う閉状態である。カメラ１２とＬＣＤ１６とが反対方向となるため、他人を被写体として撮影するのに適したスタイルである。
【００１４】
図５は、本実施の形態における携帯電話の機能の一例を示す機能ブロック図である。図５を参照して、携帯電話１は、携帯電話１の全体を制御するための制御部２１と、アンテナ２２が接続された無線回路２３と、音声データを処理するためのコーデック部３１と、それぞれがコーデック部３１に接続されたマイク１３およびスピーカ１１と、カメラ１２と、ユーザの操作の入力を受付ける操作キー１４と、動画データおよび制御部２１で実行するプログラム等を記憶するためのメモリ２４と、ＬＣＤ１６に表示するための画像データを記憶するためのＶＲＡＭ(Ｖｉｄｅｏ  Ｒａｎｄｏｍ  Ａｃｃｅｓｓ  Ｍｅｍｏｒｙ)２５と、ＬＣＤ１６を制御するための表示制御部２６と、第１および第２スイッチ２７Ａ，２７Ｂと、方向検出センサ２７Ｃと、を含む。また、制御部２１は、カメラ１２が出力する複数フレームの画像データからなる動画像データを圧縮してメモリ２４に記録する録画部５１と、カメラ１２が出力する画像データを左右反転させた鏡像データを生成する鏡像データ生成部５２と、携帯電話１のスタイルを検出するスタイル検出部５３と、表示制御部２６に反転指示を出力する反転指示部５４とを含む。
【００１５】
無線回路２３は、アンテナ２２により受信された無線信号が入力され、無線信号を復調した音声信号をコーデック部３１に出力する。また、無線回路２３は、コーデック部３１から音声信号が入力され、音声信号を変調した無線信号をアンテナ２２に出力する。コーデック部３１は、無線回路２３から入力される音声信号を復号し、復号したデジタルの音声信号をアナログに変換し、増幅し、そしてスピーカ１１に出力する。また、コーデック部３１は、マイク１３からアナログの音声信号が入力され、音声信号をデジタルに変換し、符号化し、そして符号化した音声信号を無線回路２３に出力する。
【００１６】
メモリ２４は、制御部２１で実行する録画処理プログラム、後述する出力画像切換テーブルおよび反転指示テーブル等を記憶するためのＲＯＭ（Ｒｅａｄ  Ｏｎｌｙ  Ｍｅｍｏｒｙ）と、着脱可能なフラッシュメモリ４０が装着されるカードインターフェース（Ｉ／Ｆ）とを含む。なお、ここでは制御部２１で実行するための録画処理プログラムをメモリ２４のＲＯＭに記憶しておく例を説明するが、録画処理プログラムをフラッシュメモリ４０に記憶しておき、フラッシュメモリ４０から録画処理プログラムを読み出して、制御部２１で実行するようにしてもよい。録画処理プログラムを記憶する記録媒体としては、フラッシュメモリ４０に限られず、フレキシブルディスク、カセットテープ、光ディスク（ＭＯ（Ｍａｇｎｅｔｉｃ  Ｏｐｔｉｃａｌ  Ｄｉｓｃ）／ＭＤ（Ｍｉｎｉ  Ｄｉｓｃ）／ＤＶＤ（Ｄｉｇｉｔａｌ  Ｖｅｒｓａｔｉｌｅ  Ｄｉｓｃ））、ＩＣカード（メモリカードを含む）、光カード、マスクＲＯＭ、ＥＰＲＯＭ（Ｅｒａｓａｂｌｅ  Ｐｒｏｇｒａｍｍａｂｌｅ  ＲＯＭ）、ＥＥＰＲＯＭ（Ｅｌｅｃｔｒｏｎｉｃａｌｌｙ  ＥＰＲＯＭ）などの半導体メモリ等でもよい。また、携帯電話１をインターネットに無線回路２３を介して接続し、インターネットに接続されたコンピュータから録画処理プログラムをダウンロードして、制御部２１で実行するようにしてもよい。ここでいうプログラムは、制御部２１により直接実行可能なプログラムだけでなく、ソースプログラム形式のプログラム、圧縮処理されたプログラム、暗号化されたプログラム等を含む。
【００１７】
方向検出センサ２７Ｃは、重力センサであり、携帯電話１の姿勢を検出し、検出した姿勢を制御部２１に出力する。方向検出センサ２７Ｃは、表示側部２および操作側部３のいずれに装着されてもよい。方向検出センサ２７Ｃは、横方向姿勢と、縦方向姿勢とを検出する。横方向姿勢は、操作側部３に設置されたカメラ１２と表示側部２に設置されたＬＣＤ１６とが水平方向に並ぶ姿勢であり、縦方向姿勢は、カメラ１２とＬＣＤ１６とが垂直方向に並ぶ姿勢である。なお、携帯電話１は、縦方向姿勢から横方向姿勢に遷移する途中の状態が存在するが、途中の状態のいずれかを境に途中の状態の縦方向姿勢側を縦方向姿勢、横方向姿勢側を横方向姿勢としてもよい。ここでは、携帯電話１の姿勢が横方向姿勢で撮像される場合を例に説明する。
【００１８】
カメラ１２は、制御部２１により制御され、制御部２１からの指示により撮像を開始して、得られる動画データを制御部２１に出力する。動画データは、複数の静止画の画像データ（フレーム）が連続したものである。制御部２１では、フレーム単位で処理するため、ここでは動画データを単に画像データともいう。カメラ１２は、レンズおよびＣＭＯＳ(Ｃｏｍｐｌｅｍｅｎｔａｒｙ  Ｍｅｔａｌ  Ｏｘｉｄｅ  Ｓｅｍｉｃｏｎｄｕｃｔｏｒ）センサ等の光電変換素子を備え、レンズで集光した光をＣＭＯＳセンサに結像し、ＣＭＯＳセンサは受光した光を光電変換して画像データを制御部２１に出力する。なお、カメラ１２は、光電変換した画像データの画質を向上させるための画像処理を実行する画像処理回路、画像データをアナログからデジタルに変換するＡ／Ｄ変換回路を備えている。
【００１９】
操作キー１４は、ユーザによりスタートキー１５または１５Ａが押下されたことを検出すると、制御部２１に録画指示を入力する。制御部２１の録画部５１は、カメラ１２から動画データが入力される。録画部５１は、操作キー１４から録画指示が入力されると、例えばＭＰＥＧ（Ｍｏｖｉｎｇ  Ｐｉｃｔｕｒｅ  Ｅｘｐｅｒｔｓ  Ｇｒｏｕｐ）等の圧縮符号化方式で動画データを符号化して、メモリ２４のカードＩ／Ｆに装着されたフラッシュメモリに記憶する。
【００２０】
第１スイッチ２７Ａは、携帯電話１の開閉状態を検出するスイッチである。第１スイッチ２７Ａは、携帯電話１が開状態にあるときにオンとなり、閉状態にあるときにオフとなる。表示側部２は、操作側部３に対して第１回転軸１８を中心に回転する。携帯電話１は、閉状態にあるとき、クローズスタイルまたはフロントスタイルである。また、携帯電話１は、開状態にあるとき、オープンスタイルまたはツイストスタイルである。携帯電話１は、開状態から閉状態に遷移する途中の状態が存在するが、途中の状態のいずれかを境に途中の状態の開状態側を開状態、閉状態側を閉状態としてもよい。なお、第１スイッチ２７Ａは、表示側部２が操作側部３に対して第１回転軸１８を中心に回転する角度を検出する角度センサであってもよい。
【００２１】
第２スイッチ２７Ｂは、操作側部３に対して第２回転軸１９を中心に回転する表示側部２の位置を検出するスイッチである。第２スイッチ２７Ｂは、携帯電話１がオープンスタイルまたはクローズスタイルにあるときオンとなり、携帯電話１がツイストスタイルまたはフロントスタイルにあるときオフとなる。ここでは、第２スイッチ２７Ｂがオンの場合の表示側部２の位置を正位置といい、第２スイッチ２７Ｂがオフの場合の表示側部２の位置を逆位置という。第２スイッチ２７Ｂは、表示側部２が正位置にあるときにオンとなり、正位置にある表示側部２が第２回転軸１９を中心に１８０度回転した位置（以下「逆位置という」）となるとオフとなる。なお、携帯電話１は、表示側部２が正位置から逆位置に遷移する途中の状態が存在するが、途中の状態のいずれかを境に途中の状態の正位置側を正位置、逆位置側を逆位置としてもよい。なお、第２スイッチ２７Ａは、表示側部２が操作側部３に対して第２回転軸１９を中心に回転する角度を検出する角度センサであってもよい。
【００２２】
スタイル検出部５３には、第１スイッチ２７Ａおよび第２スイッチ２７Ｂの状態が入力される。スタイル検出部５３は、第１スイッチおよび第２スイッチの状態から携帯電話１のスタイルを検出する。すなわち、スタイル検出部５３は、第１スイッチがオン（開状態）で第２スイッチがオン（正位置）ならば携帯電話１がオープンスタイルであることを検出し、第１スイッチがオン（開状態）で第２スイッチがオフ（逆位置）ならば携帯電話１がツイストスタイルであることを検出し、第１スイッチがオフ（閉状態）で第２スイッチがオン（正位置）ならば携帯電話１がクローズスタイルであることを検出し、第１スイッチがオフ（閉状態）で第２スイッチがオフ（逆位置）ならば携帯電話１がフロントスタイルであることを検出する。スタイル検出部５３は、検出したスタイルを、鏡像データ生成部５２および反転指示部５４に出力する。
【００２３】
鏡像データ生成部５２は、カメラ１２から動画データが入力され、スタイル検出部５３から携帯電話１のスタイルが入力され、録画部５１から録画中か否かを示す信号が入力される。録画中を示す信号は、録画中にＯＮ（ハイ）となり、録画していないときにＯＦＦ（ロー）となる論理信号である。鏡像データ生成部５２は、メモリ２４のＲＯＭに予め記憶された出力画像テーブルを参照して携帯電話１のスタイルに応じて、動画データと動画データを左右反転させた鏡像データとのいずれをＶＲＡＭ２５に記憶するかを決定する。鏡像データ生成部５２は、決定した動画データまたは鏡像データのいずれかを１フレーム（画像データ）ずつ順にＶＲＡＭ２５に書き込む。表示制御部２６は、制御部２１により制御され、制御部２１から入力される指示に従ってＶＲＡＭ２４に記憶された画像データを読み出して、ＬＣＤ１６に表示させる。
【００２４】
図６は、出力画像テーブルの一例を示す図である。図６を参照して、オープンスタイルおよびフロントスタイルに対して通常画像が対応付けられ、ツイストスタイルに対して鏡像画像が対応付けられる。すなわち、ＬＣＤ１６の表示面がカメラ１２の撮像方向と反対方向にあるときに通常画像が対応付けられ、ＬＣＤ１６の表示面がカメラ１２の撮像方向にあるときに鏡像画像が対応付けられる。なお、クローズスタイルに対しては、通常画像および鏡像画像のいずれも対応付けられない。クローズスタイルの場合には、ＬＣＤ１６に画像が表示されないからである。
【００２５】
鏡像データ生成部５２は、スタイル検出部５３から入力される携帯電話１のスタイルがオープンスタイルまたはフロントスタイルの場合には、カメラ１２から入力される動画データをそのまま１フレーム（画像データ）ずつＶＲＡＭ２５に記憶する。また、スタイル検出部５３から入力される携帯電話１のスタイルがツイストスタイルの場合には、カメラ１２から入力される動画データを左右反転した鏡像データを生成して、生成した鏡像データを１フレーム（画像データ）ずつＶＲＡＭ２５に記憶する。また、鏡像データ生成部５２が、ＶＲＡＭ２５に動画データと鏡像データのいずれを記憶するかの判断は、録画部５１で動画データの記録をしている間はされない。換言すれば、鏡像データ生成部５２は、録画部５１で動画データの記録を開始した時点で動画データをＶＲＡＭに記憶することを決定した場合には、録画部５１で動画データの記録をしている間は携帯電話１がツイストスタイルに変更されても鏡像データを生成することなく、動画データの記憶を継続する。また、録画部５１で動画データの記録を開始した時点で鏡像データをＶＲＡＭに記憶することを決定した場合には、録画部５１で動画データの記録をしている間は携帯電話１がオープンスタイルまたはフロントスタイルに変更されても鏡像データを生成して、鏡像データの記憶を継続する。制御部２１全体の負荷を軽減するためである。また、動画データと鏡像データとの切換により、ＶＲＡＭに１フレーム分を記憶するための時間が必要とされるため、動画データと鏡像データとの切換によりＬＣＤ１６の表示が一時停止するのを防止するためである。
【００２６】
反転指示部５４は、スタイル検出部５３から携帯電話１のスタイルが入力され、録画部５１から録画中か否かを示す信号が入力され、反転信号を表示制御部２６に出力する。反転指示部５４は、録画部５１から入力される録画中か否かを示す信号とスタイル検出部５３から入力される携帯電話１のスタイルとから、録画部５１で録画が開始された時点の携帯電話１のスタイルと現在の携帯電話１のスタイルと比較して、反転指示を表示制御部２６に出力するか否かを決定する。比較には、メモリ２４のＲＯＭに予め記憶された反転信号テーブルが用いられる。反転指示部５４は、反転信号を表示制御部２６に出力する。反転信号は、ＬＣＤ１６に表示させる画像を上下左右反転させる場合にＯＮ（ハイ）となり、ＬＣＤ１６に表示させる画像を上下左右反転させない場合にＯＦＦ（ロー）となる信号である。
【００２７】
図７は、反転信号テーブルの一例を示す図である。反転信号テーブルは、録画開始時のスタイルと録画時のスタイルとの複数の組合せそれぞれに、反転信号の出力を定義する。反転信号は、ＬＣＤ１６に表示させる画像を上下左右反転させる場合にＯＮ（ハイ）となり、ＬＣＤ１６に表示させる画像を上下左右反転させない場合にＯＦＦ（ロー）となる信号である。なお、図では録画開始時のスタイルと録画時のスタイルの組合せのうち、クローズスタイルを含む組合せは示していない。クローズスタイルでは、録画を開始することができず、また、録画中にクローズスタイルとなった場合には、録画が中止されるからである。また、図では、第１スイッチと第２スイッチの状態を示しているが、これらは説明のために示したもので、実際には反転指示テーブルには不要である。
【００２８】
図７を参照して、録画開始時と録画中のスタイルの組合せのうち録画開始時と録画中とで第２スイッチの状態が異なる組合せが、反転信号がＯＮ（ハイ）となる組合せとなっている。携帯電話１は、オープンスタイルからフロントスタイルに遷移する場合、オープンスタイルからツイストスタイルに遷移した後フロントスタイルに遷移する。逆に、携帯電話１は、フロントスタイルからオープンスタイルに遷移する場合、フロントスタイルからツイストスタイルに遷移した後オープンスタイルに遷移する。
【００２９】
携帯電話１が録画開始時にオープンスタイルであった場合、その後、ツイストスタイルまたはフロントスタイルに遷移すると反転信号がＯＦＦからＯＮに変化する。オープンスタイルからフロントスタイルへの遷移には、ツイストスタイルに遷移しなければならないので、反転信号が変化するのはオープンスタイルからツイストスタイルに遷移するときである。さらに、ツイストスタイルまたはフロントスタイルからオープンスタイルに遷移すると反転信号がＯＮからＯＦＦに変化する。フロントスタイルからオープンスタイルへの遷移には、ツイストスタイルに遷移しなければならないので、反転信号が変化するのはツイストスタイルからオープンスタイルに遷移するときである。
【００３０】
また、携帯電話１が録画開始時にツイストスタイルであった場合、その後、オープンスタイルに遷移すると反転信号がＯＦＦからＯＮに変化する。さらに、オープンスタイルからツイストスタイルに遷移すると反転信号がＯＮからＯＦＦに変化する。
【００３１】
また、携帯電話１が録画開始時にフロントスタイルであった場合、その後、オープンスタイルに遷移すると反転信号がＯＦＦからＯＮに変化する。フロントスタイルからオープンスタイルへの遷移には、ツイストスタイルに遷移しなければならないので、反転信号が変化するのは、ツイストスタイルからオープンスタイルに変化するときである。さらに、オープンスタイルからツイストスタイルに遷移すると、反転信号がＯＮからＯＦＦに変化する。
【００３２】
ここでは、反転信号の変化を反転指示という。上述したように、携帯電話１が録画開始時にオープンスタイルであった場合、反転信号がＯＦＦからＯＮに変化するのは、オープンスタイルからツイストスタイルに遷移するときであり、反転信号がＯＮからＯＦＦに変化するのは、ツイストスタイルからオープンスタイルに遷移するときである。また、携帯電話１が録画開始時にオープンスタイルまたはフロントスタイルであった場合、反転信号がＯＦＦからＯＮに変化するのは、ツイストスタイルからオープンスタイルに遷移するときであり、反転信号がＯＮからＯＦＦに変化するのは、オープンスタイルからツイストスタイルに遷移するときである。換言すれば、反転信号は、第２スイッチが変化することにより変化するため、反転指示は、第２スイッチが変化することにより出力される信号である。なお、第２スイッチが変化するのは、第１スイッチがオン（開状態）のときに限られる。すなわち、反転指示は、第１スイッチがオン（開状態）で、かつ、第２スイッチがオン（表示側部２が正位置）からオフ（表示側部２が逆位置）に変化した時点に、反転指示部５４が表示制御部２６に出力する信号であり、また、第１スイッチがオン（開状態）で、第２スイッチがオフ（表示側部２が逆位置）からオン（表示側部２が正位置）に変化した時点に、反転指示部５４が表示制御部２６に出力する信号である。
【００３３】
表示制御部２６は、反転指示部５４から反転信号が入力される。表示制御部２６は、ＶＲＡＭ２５に記憶された画像データを読出し、ＬＣＤ１６に画像データを表示させる。表示制御部２６は、ＶＲＡＭ２５から画像データを第１の方向と、第１の方向とは上下左右が逆の第２の方向から読み出すことが可能である。表示制御部２６は、反転信号がＯＦＦ（ロー）の場合には、第１の方向から画像データをＶＲＡＭ２５から読み出してＬＣＤ１６に出力し、反転信号がＯＮ（ハイ）の場合には、第２の方向から画像データをＶＲＡＭ２５から読み出してＬＣＤ１６に出力する。すなわち、表示制御部２６は、反転指示が入力されない場合には、ＬＣＤ１６にそれまで表示している画像をそのまま表示させるが、反転指示が入力されると、ＬＣＤ１６にそれまで表示していた画像と上下左右が逆の画像を表示させる。なお、表示制御部２６は、ＶＲＡＭ２５に記憶された画像データを読出す方向を一定にして、ＬＣＤ１６に上下左右逆の画像データを表示させるようにしてもよい。
【００３４】
図８は、本実施の形態における携帯電話で実行される横方向録画処理の流れの一例を示すフローチャートである。この横方向録画処理は、ＲＯＭに記憶された録画処理プログラムを制御部２１が実行することにより、制御部２１により実行される処理である。また、横方向録画処理は、撮像姿勢が横方向姿勢にあるときに実行される処理である。制御部２１は、方向検出センサ２７Ｃから携帯電話１の撮像姿勢として横方向姿勢が入力されていれば、撮像姿勢を横方向姿勢に決定して、横方向録画処理を実行する。
【００３５】
図８を参照して、制御部２１は、ステップＳ０１で、携帯電話１のスタイルを検出する。制御部２１は、第１スイッチ２７Ａと第２スイッチ２７Ｂそれぞれの状態から携帯電話のスタイルを検出する。そして、制御部２１は、ステップＳ０２において、検出したスタイルがツイストスタイルであれば処理をステップＳ０３に進め、そうでなければ処理をステップＳ０４に進める。制御部２１は、ＶＲＡＭ２５に記憶する画像データを、ステップＳ０３では鏡像画像に設定して処理をステップＳ０５に進め、ステップＳ０４では通常画像に設定して処理をステップＳ０５に進める。ステップＳ０５では、制御部２１は、録画開始の指示があったか否かを判断する。携帯電話１のユーザが、スタートキー１５，１５Ａを指示すると、制御部２１は録画開始の指示を検出する。制御部２１は、録画開始指示を検出すると処理をステップＳ０６に進め、検出しなければ処理をステップＳ０１に戻す。これにより、制御部２１は、録画開始指示が検出されるまで、携帯電話１のスタイルの切換に応じてＬＣＤ１６に表示する画像を鏡像画像または通常画像に切換える。
【００３６】
ステップＳ０６では、制御部２１は、カメラ１２が出力する動画データのメモリ２４への記録を開始して、処理をステップＳ０７に進める。制御部２１は、ステップＳ０７では、ＶＲＡＭ２５に記憶する画像データが、鏡像画像に設定されているか否かを判断する。鏡像画像に設定されていれば処理をステップＳ０８に進め、通常画像に設定されていれば処理をステップＳ０９に進める。
【００３７】
制御部２１は、ステップＳ０８では、カメラ１２が出力する動画データを左右反転した鏡像データを生成して１フレームずつＶＲＡＭ２５に記憶して処理をステップＳ１０に進める。制御部２１は、ステップＳ０９では、カメラ１２が出力する動画データを１フレームずつＶＲＡＭ２５に記憶して処理をステップＳ１０に進める。ステップＳ１０では、制御部２１は、第２スイッチの状態が変化したか否かを検出する。具体的には、第２スイッチがオン（表示側部２が正位置）からオフ（表示側部２が逆位置）に変化したか否か、または、第２スイッチがオフ（表示側部２が逆位置）からオン（表示側部２が正位置）に変化したか否かを検出する。制御部２１は、第２スイッチの状態の変化を検出したならば処理をステップＳ１１に進め、変化を検出しなければステップＳ１１をスキップして処理をステップＳ１２に進める。ステップＳ１１では、制御部２１は、表示制御部２６に反転指示を出力する。これにより、表示制御部２６は、それまでＬＣＤ１６に表示させていた画像と上下左右が逆の画像を表示させる。第２スイッチの状態が変化する場合は、携帯電話１を横方向姿勢にして録画した場合、ＬＣＤ１６が水平方向を軸に１８０度回転する。このため、ＬＣＤ１６の表示面の上下が逆になる。ＬＣＤ１６に表示する画像を上下左右逆にすることで、被写体の上下方向とＬＣＤ１６に表示される画像の上下方向とを一致させることができる。
【００３８】
そして、制御部２１は、録画終了の指示があったか否かを判断する（ステップＳ１２）。携帯電話１のユーザが、スタートキー１５，１５Ａを再度指示すると、制御部２１は録画終了の指示を検出する。制御部２１は、録画終了指示を検出すると処理をステップＳ１３に進め、検出しなければ処理をステップＳ０７に戻す。ステップＳ１３では、制御部２１は、ステップＳ０２で開始した録画を終了した後、処理を終了する。
【００３９】
図９は、オープンスタイルで録画を開始した場合にＬＣＤに表示される画像を説明するための図である。ここでは、右目をウインクした女性の顔を撮像する場合を例に説明する。図９（Ａ）は、オープンスタイルのＬＣＤ１６に表示される画像を示す。ＬＣＤ１６には右目をウインクした女性の顔を正面から見た画像が表示される。図９（Ｂ）は、ツイストスタイルに遷移後にＬＣＤ１６に表示される画像を示す。オープンスタイルからツイストスタイルへの遷移により、カメラ１２の撮像方向は変更されずに、ＬＣＤ１６の表示面が上下逆方向となる。このため、ＬＣＤ１６には、オープンスタイルのときのＬＣＤ１６に表示されていた画像と上下左右が逆の画像が表示される。その結果、ＬＣＤ１６には、被写体の頭を上にして画像が表示される。ツイストスタイルのＬＣＤ１６に表示される画像の見え方は、オープンスタイルのＬＣＤ１６に表示されていた画像と同じである。図９（Ｃ）は、フロントスタイルに遷移後にＬＣＤ１６に表示される画像を示す。フロントスタイルのＬＣＤ１６に表示される画像は、ツイストスタイルのＬＣＤ１６に表示されていた画像と同じである。
【００４０】
図１０は、ツイストスタイルで録画を開始した場合にＬＣＤに表示される画像を説明するための図である。ここでも、右目をウインクした女性の顔を撮像する場合を例に説明する。ＬＣＤ１６には被写体の鏡像が表示される。このため、右目をウインクした女性の顔を鏡に映して見える画像が表示される。図１０（Ｂ）は、オープンスタイルのＬＣＤ１６に表示される画像を示す。ＬＣＤ１６には、ツイストスタイルでＬＣＤ１６に表示されていた画像と同じ、右目をウインクした女性の顔を鏡に映して見える画像が表示される。ツイストスタイルからオープンスタイルへの遷移により、カメラ１２の撮像方向は変更されずに、ＬＣＤ１６の表示面が上下逆方向となる。このため、ＬＣＤ１６にはツイストスタイルのときにＬＣＤ１６に表示されていた鏡像と上下左右が逆の鏡像が表示される。その結果、被写体の頭を上にした鏡像がＬＣＤ１６に表示される。図１０（Ｃ）は、フロントスタイルに遷移後にＬＣＤ１６に表示される画像を示す。フロントスタイルのＬＣＤ１６に表示される画像は、ツイストスタイルのＬＣＤ１６に表示されていた画像と同じである。
【００４１】
図１１は、フロントスタイルで録画を開始した場合にＬＣＤに表示される画像を説明するための図である。ここでも右目をウインクした女性の顔を撮像する場合を例に説明する。図１１（Ａ）は、フロントスタイルのときのＬＣＤ１６に表示される画像を示す。ＬＣＤ１６には右目をウインクした女性の顔を正面から見た画像が表示される。図１１（Ｂ）は、ツイストスタイルに遷移後にＬＣＤ１６に表示される画像を示す。ツイストスタイルのＬＣＤ１６に表示される画像は、フロントスタイルのＬＣＤ１６に表示されていた画像と同じである。図１１（Ｃ）は、オープンスタイルに遷移後にＬＣＤ１６に表示される画像を示す。ツイストスタイルからオープンスタイルへの遷移により、カメラ１２の撮像方向は変更されずに、ＬＣＤ１６の表示面が上下逆方向となる。このため、ＬＣＤ１６には、ツイストスタイルのときにＬＣＤ１６に表示されていた画像と上下左右が逆の画像が表示される。その結果、被写体の頭を上にした画像がＬＣＤ１６に表示される。オープンスタイルのＬＣＤ１６に表示される画像の見え方は、ツイストスタイルのＬＣＤ１６に表示されていた画像と同じである。
【００４２】
＜変形例＞
上述した本実施の形態における携帯電話１は、携帯電話１の撮像姿勢を方向検出センサ２７Ｃで検出するようにしたが、録画中の携帯電話１の撮像姿勢をユーザが指定するようにしてもよい。この場合には、方向検出センサ２７Ｃは不要である。図１２は、変形例における携帯電話で実行される撮像処理の流れを示すフローチャートである。この撮像処理は、ＲＯＭに記憶された録画処理プログラムを制御部２１が実行することにより、制御部２１により実行される処理である。図１２を参照して、制御部２１は、撮像条件の設定を受付け、受付けた設定を記憶する（ステップＳ２１）。制御部２１は、ＬＣＤ１６に撮像条件設定画面を表示させ、ユーザが表示された撮像条件設定画面に従って、操作キー１４に入力する撮像条件を受付ける。制御部２１は、受付けた撮像条件をメモリ２１のＥＥＰＲＯＭに記憶する。撮像条件は、携帯電話１の撮像姿勢を含む。携帯電話１の撮像姿勢は、横方向姿勢と縦方向姿勢とのいずれかである。携帯電話１の撮像姿勢が、録画モードおよび録画サイズなどの他の撮像条件により定まる場合には、撮像姿勢を定める撮像条件と撮像姿勢とを対応付けたテーブルをＥＥＰＲＯＭに予め記憶させておき、撮像条件に撮像姿勢自体を含めないようにしてもよい。
【００４３】
制御部２１は、録画指示が受付けられたか否かを判断し（ステップＳ２２）、録画指示を受付けたならば処理をステップＳ２３に進め、受付けなければ待機状態となる。録画指示は、ユーザがスタートキー１５，１５Ａを押下することにより携帯電話１に入力され、制御部２１で受付けられる。制御部２１は、ステップＳ２３では、ステップＳ２１でＥＥＰＲＯＭに記憶された撮像条件を読み出し、撮像姿勢を決定する。撮像姿勢は、横方向姿勢と、縦方向姿勢とのいずれかである。撮像条件に撮像姿勢が含まれている場合には、読み出した撮像条件で定まる撮像姿勢に決定する。撮像条件に撮像姿勢が含まれていない場合には、撮像条件と撮像姿勢とを対応付けたテーブルを読み出して、読み出した撮像条件にテーブルで対応付けられている撮像姿勢を決定する。
【００４４】
そして、制御部２１は、撮像姿勢が横方向姿勢か否かを判断し（ステップＳ２４）、横方向姿勢ならば処理をステップＳ２５に進め、縦方向姿勢ならば処理をステップＳ２６に進める。制御部２１は、ステップＳ２５では上述した横方向録画処理を実行し、ステップＳ２６では縦方向録画処理を実行する。縦方向録画処理は、従来の携帯電話で録画時に実行される処理と同じなので、ここでは説明を繰り返さない。
【００４５】
以上説明したように、本実施の形態における携帯電話１は、ＬＣＤ１６の表示面がカメラ１２の撮像方向側を向くときに録画が開始されたときは、カメラ１２が出力する動画データを左右反転した鏡像データが表示制御部２６に与えられ、その後の記録がされている最中に、第１スイッチ２７Ａがオン（開状態）で、ＬＣＤ１６の表示面が向く方向が撮像方向（表示側部２が逆位置）から反対の方向（表示側部２が正位置）に変化した場合、または、ＬＣＤ１６の表示面が向く方向が撮像方向と反対の方向（表示側部２が正位置）から撮像方向（表示側部２が逆位置）に変化した場合、それまで表示させていた画像と上下左右が逆の画像が表示される。携帯電話１が開状態にあるとき（オープンスタイルまたはツイストスタイル）、ＬＣＤ１６の表示面が向く方向が撮像方向（表示側部２が逆位置）から反対の方向（表示側部２が正位置）に変化すると、また、ＬＣＤ１６の表示面が向く方向が撮像方向と反対の方向（表示側部２が正位置）から撮像方向（表示側部２が逆位置）に変化すると、ＬＣＤ１６の表示面が水平方向の軸を中心に１８０度回転するので、ＬＣＤ１６の上下が逆になる。このため、鏡像データの画像を上下左右反転して表示することにより、ＬＣＤ１６に表示される画像の上下方向を被写体の上下方向に合わせて表示することができる。
【００４６】
また、表示側部２は、操作側部３に対して第１回転軸１８を中心に回転して開閉自在となるとともに、第１回転軸１８に直交する第２回転軸１９を中心に回転可能に連結される。このため、表示側部２が第１回転軸１８を中心に回転して開状態となり、開状態において表示側部２が第２回転軸１９を中心に回転して、ＬＣＤ１６の方向を、カメラ１２の撮像方向と反対方向とに変化させることができる。
【００４７】
また、第１回転軸１８は、ＬＣＤ１６の表示面に平行であり、表示制御部２６は、録画されている最中に、表示側部２が第１回転軸１８を中心に回転して、ＬＣＤ１６の表示面の方向がカメラ１２の撮像方向（ツイストスタイル）から反対の方向（フロントスタイル）に変更された場合、それまで表示させていた画像と上下左右が同じ画像をＬＣＤ１６に表示させる。ツイストスタイルからフロントスタイルに遷移する場合には、ＬＣＤ１６の表示面が水平方向に回転しないので、ＬＣＤ１６の上下方向に変化はない。このため、それまで表示している鏡像データの画像をそのまま表示する、または動画データの画像を上下左右反転した画像をそのまま表示することにより、上下方向を被写体に合わせて表示することができる。
【００４８】
なお、本実施の形態における携帯電話１は、表示側部２が第１回転軸１８を中心に回転して操作側部３と開閉自在となるようにしたが、表示側部２が操作側部３に対して平行移動して開閉自在となるようにしてもよい。この場合、携帯電話１は、閉状態のフロントスタイルから開状態のオープンスタイルに遷移し、また、閉状態のクローズスタイルから開状態のツイストスタイルに遷移する。また、本実施の形態における携帯電話１は、第１回転軸１８がＬＣＤ１６の表示面と平行としたが、第１回転軸１８がＬＣＤ１６の表示面と直交するようにしてもよい。この場合、表示側部２は、その内面と操作側部３の内面とが平行な状態で回転する。回転前のフロントスタイルから回転後にオープンスタイルに遷移し、また、回転前のクローズスタイルから回転後にツイストスタイルに変化する。この場合には、開状態と閉状態とでＬＣＤ１６の上下が逆になるので、表示制御部２６は、録画されている最中に、表示側部２が第１回転軸１８を中心に回転した場合に、それまで表示させていた画像と上下左右が逆の画像をＬＣＤ１６に表示させることになる。
【００４９】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【００５０】
＜付記＞
上述した実施の形態における携帯電話には、次の発明概念が含まれる。
（１）  前記姿勢決定手段は、前記第２筐体または前記第１筐体の姿勢を検出する方向検出手段を含む、請求項１に記載の動画像記録装置。
（２）  前記姿勢決定手段は、前記第２筐体または前記第１筐体の姿勢の入力を受付ける姿勢受付手段を含む、請求項１に記載の動画像記録装置。
（３）  前記表示手段で表示するための表示用データを記憶する表示用データ記憶手段をさらに備え、
前記制御手段は、前記動画データまたは前記鏡像データを前記表示用データ記憶手段に記憶し、
前記表示制御手段は、前記表示用データを読み出して、前記表示手段に画像を表示させる、請求項１に記載の動画像記録装置。
（４）  前記第２筐体は、前記第１筐体に対して平行に移動して開閉自在となる、請求項１に記載の動画像記録装置。
（５）  前記第１の軸は、前記表示手段の表示面に平行である、請求項２に記載の動画像記録装置。
（６）  前記第１の軸は、前記表示手段の表示面に垂直である、請求項２に記載の動画像記録装置。
【図面の簡単な説明】
【００５１】
【図１】本発明の実施の形態の１つにおける携帯電話の外観を示す斜視図である。
【図２】オープンスタイルにある携帯電話を示す図である。
【図３】ツイストスタイルにある携帯電話を示す図である。
【図４】フロントスタイルにある携帯電話を示す図である。
【図５】携帯電話の機能の一例を示す機能ブロック図である。
【図６】出力画像テーブルの一例を示す図である。
【図７】反転信号テーブルの一例を示す図である。
【図８】本実施の形態における携帯電話で実行される横方向録画処理の流れの一例を示すフローチャートである。
【図９】オープンスタイルで録画を開始した場合にＬＣＤに表示される画像を説明するための図である。
【図１０】ツイストスタイルで録画を開始した場合にＬＣＤに表示される画像を説明するための図である。
【図１１】フロントスタイルで録画を開始した場合にＬＣＤに表示される画像を説明するための図である。
【図１２】変形例における携帯電話で実行される撮像処理の流れを示すフローチャートである。
【符号の説明】
【００５２】
１  携帯電話、２  表示側部、３  操作側部、１１  スピーカ、１２  カメラ、１３  マイク、１４  操作キー、１５，１５Ａ  スタートキー、１６  ＬＣＤ、１８  第１回転軸、１９  第２回転軸、２１  制御部、２２  アンテナ、２３  無線回路、２４  メモリ、２６  表示制御部、２７Ａ  第１スイッチ、２７Ｂ  第２スイッチ、２７Ｃ  方向検出センサ、３１  コーデック部、４０  フラッシュメモリ、５１  録画部、５２  鏡像データ生成部、５３  スタイル検出部、５４  反転指示部。
【図１】
2007150898.tif 000003
【図２】
2007150898.tif 000004
【図３】
2007150898.tif 000005
【図４】
2007150898.tif 000006
【図５】
2007150898.tif 000007
【図６】
2007150898.tif 000008
【図７】
2007150898.tif 000009
【図８】
2007150898.tif 000010
【図９】
2007150898.tif 000011
【図１０】
2007150898.tif 000012
【図１１】
2007150898.tif 000013
【図１２】
2007150898.tif 000014